(57)【要約】【課題】  手摺支柱の傾きを容易に矯正することができる手摺支柱の支持構造を提供する。【解決手段】  支持構造Ａは、建物の躯体Ｆに固定されるベース１０、支柱Ｐに固定されるブラケット２０、ブラケット２０をベース１０に固定する固定手段３０、及び支柱Ｐの傾きを矯正する矯正手段４０を備える。ベース１０とブラケット２０は、互いに上下方向に対向するサポート部１３，２４をそれぞれ有する。矯正手段４０は、互いに左右方向に離間した第１、第２高さ調節手段４１，４２を有する。第１、第２高さ調節手段４１，４２は、サポート部１３、２４間にそれぞれ設置されるとともに、該設置箇所でのサポート部２４の高さを調節し、支柱Ｐの傾きを矯正する。【選択図】  図４
2017082444.tif 000002
【特許請求の範囲】
【請求項１】
ベランダ又はバルコニーの手摺の支柱を建物の躯体に支持する構造において、
建物の躯体に固定されるベース、上記支柱に固定されるブラケット、該ブラケットを上記ベースに固定する固定手段、及び上記支柱の傾きを矯正する矯正手段を備え、
上記ベースと上記ブラケットは、互いに上下方向に対向するベース側サポート部とブラケット側サポート部をそれぞれ有し、
上記矯正手段は、互いに水平方向に離間した複数の高さ調節手段を有し、これら高さ調節手段は、上記ベース側サポート部と上記ブラケット側サポート部との間に設置されるとともに該設置箇所での上記ベース側サポート部に対する上記ブラケット側サポート部の高さを調節可能であることを特徴とする手摺支柱の支持構造。
【請求項２】
上記複数の高さ調節手段が上記手摺に沿う左右方向に離間していることを特徴とする請求項1に記載の手摺支柱の支持構造。
【請求項３】
上記複数の高さ調節手段が、第１高さ調節手段と第２高さ調節手段を含み、
上記第１高さ調節手段が、上記ブラケット側サポート部に支持されるとともに、上記ベース側サポート部の上面に当たる上側当接部を有し、
上記第２高さ調節手段が、上記ブラケット側サポート部に支持されるとともに、上記ベース側サポート部の下面に当たる下側当接部を有し、
上記第１、第２高さ調節手段の一方が上記支柱の近傍に配置され、他方が上記支柱から左右方向に離れて配置されていることを特徴とする請求項２に記載の手摺支柱の支持構造。
【請求項４】
上記第１、第２高さ調節手段の上記一方が、上記支柱に対して上記手摺と直交する前後方向に対峙して１つ配置され、
上記第１、第２高さ調節手段の上記他方が、上記支柱から左右方向に同距離離れて２つ配置されていることを特徴とする請求項３に記載の手摺支柱の支持構造。
【請求項５】
上記第１高さ調節手段は、上記ブラケット側サポート部を貫通するとともに上記ブラケット側サポート部に対して上下方向に位置調節可能な調節ボルトと、上記ブラケット側サポート部の上下において上記調節ボルトに螺合され上記調節ボルトを上記ブラケット側サポート部に固定する２つのナットを有し、上記調節ボルトの下端が上記上側当接部として提供され、
上記第２高さ調節手段は、上記ブラケット側サポート部と上記ベース側サポート部とを貫通する支持ボルトと、上記ブラケット側サポート部の下において上記支持ボルトに螺合され上記支持ボルトを上記ブラケット側サポート部に固定するナットと、上記ベース側サポート部の下において上記支持ボルトに螺合される調節ナットを有し、この調節ナットまたはこの調節ナットと上記ベース側サポート部との間に介在されるワッシャが上記下側当接部として提供されることを特徴とする請求項４に記載の手摺支柱の支持構造。
【請求項６】
上記ベースと上記ブラケットは、互いに前後方向に対向するベース側垂直板部とブラケット側垂直板部をそれぞれ有し、これらベース側垂直板部とブラケット側垂直板部に上記ベース側サポート部とブラケット側サポート部がそれぞれ支持されており、
上記固定手段は、上記ブラケット側垂直板部を複数箇所で上記ベース側垂直板部に固定するためのボルトとナットを有していることを特徴とする請求項２〜５のいずれかに記載の手摺支柱の支持構造。
【請求項７】
上記ベース側垂直板部とブラケット側垂直板部の対向面の一方は、左右方向に延びる断面円弧状の凸曲面部を有し、他方はこの凸曲面部に当たる平坦面部を有し、
上記凸曲面部から上下方向にずれた位置には、上記ベース側垂直板部と上記ブラケット側垂直板部との間にスペーサが介装されていることを特徴とすることを特徴とする請求項６に記載の手摺支柱の支持構造。
【請求項８】
上記固定手段の上記複数のボルトとナットは、上記凸曲面部と上記平坦面部において、上記ベース側垂直板部と上記ブラケット側垂直板部を貫通するとともに互いに左右方向に離れた複数の第１ボルトと、これら第１ボルトに螺合された第１ナットと、上記第１ボルトから上下方向にずれた位置で上記ベース側垂直板部と上記ブラケット側垂直板部を貫通するとともに互いに左右方向に離れた複数の第２ボルトと、これら第２ボルトに螺合された第２ナットとを含み、
上記スペーサは複数の切欠を有し、これら切欠きが上記第２ボルトに挿通された状態で、上記第２ボルトに支持されていることを特徴とする請求項７に記載の手摺支柱の支持構造。
【発明の詳細な説明】
【技術分野】
【０００１】
本発明は、集合住宅等のベランダ又はバルコニーに設けられる手摺の支柱を建物の躯体に支持する構造に関する。
【背景技術】
【０００２】
特許文献１に開示されるバルコニー用の手摺支柱は、その下部において支柱支持部材を介して建物の躯体に取り付けられている。支柱支持部材は、支柱の下面に固定されたプレートと、このプレートを貫通したボルトとを有しており、プレートの上面にボルトの頭部の下面が接した状態でプレートとボルトが溶接により一体化されている。このボルトは、躯体に設けられた支持穴に嵌入されるとともに、この支持穴に注入された接着固定剤により固定される。
【０００３】
上記プレートには、躯体の支持穴を間にして手摺と直交する前後方向に２個のネジ穴が形成されている。このネジ穴にはそれぞれレベル調整用ボルトが進退可能にプレート下面側から螺合されている。支柱を立設するときには、このレベル調整用ボルトを進退させて躯体の上面に対するプレートの高さを調整して、支柱を所定の姿勢で取り付けるようにしている。姿勢に狂いがあった場合には、接着固定剤をトーチで加熱し、軟化させ、再調整している。
【先行技術文献】
【特許文献】
【０００４】
【特許文献１】特開２００５−９００４１
【発明の開示】
【発明が解決しようとする課題】
【０００５】
上記のような手摺支柱においては、レベル調整用ボルトが支柱の下方、即ち、プレートの下面と躯体の上面との間に配置され、且つそのレベル調整用ボルトを進退させるためのボルト頭部が躯体の上面に当たる当接部にもなっているため、支柱の姿勢を調整する作業が煩わしいという問題があった。
また、姿勢を再調整するときには、火気を使用するため失火の恐れがあった。
【課題を解決するための手段】
【０００６】
本発明は、上記課題を解決するためになされたものであり、ベランダ又はバルコニーの手摺の支柱を建物の躯体に支持する構造において、建物の躯体に固定されるベース、上記支柱に固定されるブラケット、該ブラケットを上記ベースに固定する固定手段、及び上記支柱の傾きを矯正する矯正手段を備え、上記ベースと上記ブラケットは、互いに上下方向に対向するベース側サポート部とブラケット側サポート部をそれぞれ有し、上記矯正手段は、互いに水平方向に離間した複数の高さ調節手段を有し、これら高さ調節手段は、上記ベース側サポート部と上記ブラケット側サポート部との間に設置されるとともに該設置箇所での上記ベース側サポート部に対する上記ブラケット側サポート部の高さを調節可能であることを特徴としている。
【０００７】
上記構成によれば、建物の躯体に固定されたベースのベース側サポート部に対する、支柱に固定されたブラケットのブラケット側サポート部の高さを、複数箇所で調節することにより、手摺支柱の傾きを容易に矯正することができる。
【０００８】
好ましくは、上記複数の高さ調節手段が上記手摺に沿う左右方向に離間している。
上記構成によれば、手摺に沿う左右方向の手摺支柱の傾きを矯正することができる。
【０００９】
好ましくは、上記複数の高さ調節手段が、第１高さ調節手段と第２高さ調節手段を含み、上記第１高さ調節手段が、上記ブラケット側サポート部に支持されるとともに、上記ベース側サポート部の上面に当たる上側当接部を有し、上記第２高さ調節手段が、上記ブラケット側サポート部に支持されるとともに、上記ベース側サポート部の下面に当たる下側当接部を有し、上記第１、第２高さ調節手段の一方が上記支柱の近傍に配置され、他方が上記支柱から左右方向に離れて配置されている。
上記構成によれば、支柱の近傍に配置された第１、第２高さ調節手段の一方によりブラケット側サポート部の高さを調節して手摺支柱の高さ位置を決定し、他方により手摺支柱の傾きを矯正することができるので、手摺支柱の高さの調節及び傾きの矯正をより正確に行うことができる。
【００１０】
好ましくは、上記第１、第２高さ調節手段の上記一方が、上記支柱に対して上記手摺と直交する前後方向に対峙して１つ配置され、上記第１、第２高さ調節手段の上記他方が、上記支柱から左右方向に同距離離れて２つ配置されている。
上記構成によれば、第１、第２高さ調節手段の一方がベース側サポート部の上面又は下面から当接し、他方が左右２箇所においてベース側サポート部の反対側の面に当接するので、支柱を矯正姿勢で安定して支持することができる。
【００１１】
好ましくは、上記第１高さ調節手段は、上記ブラケット側サポート部を貫通するとともに上記ブラケット側サポート部に対して上下方向に位置調節可能な調節ボルトと、上記ブラケット側サポート部の上下において上記調節ボルトに螺合され上記調節ボルトを上記ブラケット側サポート部に固定する２つのナットを有し、上記調節ボルトの下端が上記上側当接部として提供され、上記第２高さ調節手段は、上記ブラケット側サポート部と上記ベース側サポート部とを貫通する支持ボルトと、上記ブラケット側サポート部の下において上記支持ボルトに螺合され上記支持ボルトを上記ブラケット側サポート部に固定するナットと、上記ベース側サポート部の下において上記支持ボルトに螺合される調節ナットを有し、この調節ナットまたはこの調節ナットと上記ベース側サポート部との間に介在されるワッシャが上記下側当接部として提供される。
上記構成によれば、第１、第２高さ調節手段はともにボルトとナットで構成されるため、支柱の高さ及び傾きの調節が容易である。
【００１２】
好ましくは、上記ベースと上記ブラケットは、互いに前後方向に対向するベース側垂直板部とブラケット側垂直板部をそれぞれ有し、これらベース側垂直板部とブラケット側垂直板部に上記ベース側サポート部とブラケット側サポート部がそれぞれ支持されており、上記固定手段は、上記ブラケット側垂直板部を複数箇所で上記ベース側垂直板部に固定するためのボルトとナットを有している。
上記構成によれば、支柱の傾き矯正後のベースへのブラケット固定、再矯正の際の固定解除および再固定において、溶接や火気の使用を行わないため、感電や失火の恐れがなく安全である。
【００１３】
好ましくは、上記ベース側垂直板部とブラケット側垂直板部の対向面の一方は、左右方向に延びる断面円弧状の凸曲面部を有し、他方はこの凸曲面部に当たる平坦面部を有し、上記凸曲面部から上下方向にずれた位置には、上記ベース側垂直板部と上記ブラケット側垂直板部との間にスペーサが介装されている。
上記構成によれば、凸曲面部と平坦面部の接触箇所を中心にして、ベース側垂直板部に対するブラケット側垂直板部の前後方向の傾きを調節し、この調節後にベース側垂直板部とブラケット側垂直板部との間の隙間に、この隙間に見合った厚さのスペーサを介装させることにより、手摺支柱の前後方向の傾きを矯正することができる。
【００１４】
好ましくは、上記固定手段の上記複数のボルトとナットは、上記凸曲面部と上記平坦面部において、上記ベース側垂直板部と上記ブラケット側垂直板部を貫通するとともに互いに左右方向に離れた複数の第１ボルトと、これら第１ボルトに螺合された第１ナットと、上記第１ボルトから上下方向にずれた位置で上記ベース側垂直板部と上記ブラケット側垂直板部を貫通するとともに互いに左右方向に離れた複数の第２ボルトと、これら第２ボルトに螺合された第２ナットとを含み、上記スペーサは複数の切欠を有し、これら切欠きが上記第２ボルトに挿通された状態で、上記第２ボルトに支持されている。
上記構成によれば、凸曲面部と平坦面部を貫通する第１ボルトと第１ナットを用いることにより、ベース側垂直板部と上記ブラケット側垂直板部を強固に固定することができる。また、スペーサは、切欠きによって第２ボルトを跨いで第２ボルトに支持されるので、安定して保持される。
【発明の効果】
【００１５】
本発明によれば、手摺支柱の傾きを容易に矯正することができる。
【図面の簡単な説明】
【００１６】
【図１】図１は、本発明の第１の実施形態に係る手摺支柱の支持構造を適用したバルコニーを示し、図１（Ａ）は、上記バルコニーを屋外側から見た正面図である。図１（Ｂ）は、図１（Ａ）のＢ−Ｂ線に沿う、上記バルコニーの側面断面図である。
【図２】図２は、図１（Ａ）のＩＩ−ＩＩ線に沿う手摺支柱の支持構造を示す平面断面図であり、床Ｄを省略し、ベースの一部を切り欠いて示す。
【図３】図３は、図２のＩＩＩ−ＩＩＩ線に沿う手摺支柱の支持構造の側面断面図である。
【図４】図４は、図３のＩＶ−ＩＶ線に沿う手摺支柱の支持構造の背面断面図である。
【図５】図５は、同実施形態の手摺支柱の支持構造に用いられるブラケットを示し、図５（Ａ）は上記ブラケットの平面図である。図５（Ｂ）は図５（Ａ）のＢ矢視図である。図５（Ｃ）は図５（Ｂ）のＣ矢視図である。
【発明を実施するための形態】
【００１７】
以下、本発明の第１の実施の形態に係るバルコニーにおける手摺Ｈのための支柱Ｐの支持構造について図１〜図５を参照して説明する。以下の説明では、手摺Ｈの長手方向を左右方向とし、支柱Ｐの長手方向を上下方向とし、手摺Ｈ及び支柱Ｐと直交する方向を前後方向とする。
【００１８】
図１に示すように、建物のコンクリート製の躯体Ｆの立ち上がり部Ｆａに、支柱Ｐが鉛直方向に立設されている。この支柱Ｐは、左右方向に所定の間隔で躯体Ｆに複数設けられている。支柱Ｐの上端部には、左右方向に延びる手摺Ｈが架け渡されている。
【００１９】
左右に隣り合う支柱Ｐ，Ｐには、ガラス板Ｇが支持されている。すなわち、このガラス板Ｇの下枠Ｇａの両端部が左右の支柱Ｐ，Ｐの下端部に固定され、ガラス板Ｇの左右の縦枠Ｇｂが支柱Ｐの前側（屋外側）に固定されている。
【００２０】
次に、図１（Ｂ）及び図２〜４を参照して、支柱Ｐを建物の躯体Ｆに支持する構造Ａについて詳述する。図１（Ｂ）、図３に示すように、支持構造Ａは、建物の躯体Ｆに固定されるベース１０、支柱Ｐに固定されるブラケット２０、ブラケット２０をベース１０に固定する固定手段３０、及び支柱Ｐの傾きを矯正する矯正手段４０を備えている。
【００２１】
ベース１０は、アルミニウム等で形成され、図３に示すように断面台形をなし、下側の水平板部１１と、この水平板部１１の屋外側の縁から支柱Ｐに沿って起立する垂直板部１２（ベース側垂直板部）と、この垂直板部１２の上縁から屋内側に延びる上側の水平板部１３（ベース側サポート部）とを有している。
【００２２】
図２〜図４に示すように、下側の水平板部１１は躯体Ｆの立ち上がり部Ｆａの上面に固定されている。詳述すると、立ち上がり部Ｆａの上面には、雌ねじ部材であるインサートＩが前後方向に離れて左右一対ずつ、計４個埋設されている。一方、水平板部１１には、上記インサートＩに対応して４つのボルト挿通孔１１ａが形成されている。ボルト挿通孔１１ａは、前後方向（図３において左右方向）に延びる長孔からなる。
【００２３】
ボルト５を上記ボルト挿通孔１１ａに通してインサートＩにねじ込むことにより、水平板部１１が立ち上がり部Ｆａに固定される。この際、ボルト挿通孔１１ａが前後方向に延びているので、ベース１０を前後方向に位置調節することができ、ひいては支柱Ｐを前後方向に調節することができる。
【００２４】
なお、上記水平板部１１の上面とボルト５の頭部との間には、左右方向に延びボルト５の径と同径のボルト貫通穴６ａを有するアルミ製の板部材６が介在されている。この板部材６の下面と水平板部１１の上面には、左右方向（ボルト挿通孔１１ａと直交する方向）に延びる多数の微細な突条６ｃ，１１ｃがそれぞれ形成されている。これら突条１１ｃ、６ｃの噛み合いにより、ベース１０は前後方向へ移動することなく躯体Ｆに固定される。
【００２５】
上記ベース１０の垂直板部１２には、上下に離れて左右一対ずつ、計４つのボルト挿通孔１２ａが形成されている。これらボルト挿通孔１２ａは左右方向に延びる長孔からなる。垂直板部１２の下部には屋外側に突出するとともに左右方向に延びる凸曲面部１２ｄが形成されており、上記ボルト挿通孔１２ａのうち下側の左右一対のボルト挿通孔１２ａは、この凸曲面部１２ｄの最大突出部位に位置している。
上記上側の水平板部１３には、左右に離れて一対のボルト挿通孔１３ａが形成されている。
【００２６】
次に、ブラケット２０について説明する。図５に示すように、ブラケット２０は、支柱Ｐに沿う垂直板部２２（ブラケット側垂直板部）と、垂直板部２２の上縁から屋内側へ水平に突出するサポート部２４（ブラケット側サポート部）と、垂直板部２２から屋外側に突出するとともに垂直に延びる左右一対の固定板部２６を有している。
図２、図３に示すように、上記一対の固定板部２６で上記支柱Ｐを挟み、これら固定板部２６と支柱Ｐを貫通するボルト７ａとナット７ｂにより、ブラケット２０が支柱Ｐに固定されている。
【００２７】
図５に戻って説明すると、上記垂直板部２２には、上記ベース１０の垂直板部１２に対応して４つのボルト挿通孔２２ａが形成されている。これらボルト挿通孔２２ａは上下方向に延びる長孔からなる。なお、垂直板部２２の屋内側の面において、上記ベース１０の凸曲面部１２ｄに対応する細長い面領域は、平坦面部２２ｄとして提供される。
【００２８】
上記サポート部２４は、上記垂直板部２２の上縁部の中央から水平に突出する腕部２４ａと、上縁部の左右端（腕部２４ａから等距離離れた位置）から屋内方向に向かって水平に突出する腕部２４ｂと、腕部２４ａ，２４ｂの先端にそれぞれ形成された割り筒部２４ｃ、２４ｄを有している。これら構成の役割については後述する。
【００２９】
次に、ブラケット２０をベース１０に固定する固定手段３０について説明する。この固定手段３０は、下側の左右一対のボルト３１（第１ボルト）と、これに螺合するナット３３（第１ナット）と、上側の左右一対のボルト３２（第２ボルト）と、これに螺合するナット３４（第２ナット）とを有している。ボルト３１は、上記ベース１０の凸曲面部１２ｄに形成されたボルト挿通孔１２ａと，上記ブラケット２０の平坦面部２２ｄに形成されたボルト挿通孔２２ａを貫通している。
上記ボルト挿通孔１２ａが左右に延びる長孔からなり、ボルト挿通孔２２ａが上下に延びる長孔からなるので、ブラケット２０はベース１０に対して左右方向の位置調節と高さ方向の位置調節が可能である。
【００３０】
上記ブラケット２０の平坦面部２２ｄはベース１０の凸曲面部１２ｄに線接触しているため、ブラケット２０の垂直板部２２のベース１０の垂直板部１２に対する前後方向の傾きを調節することができ、ひいては支柱Ｐの前後方向の傾きを矯正することができる。
【００３１】
凸曲面部１２ｄ、平坦面部２２ｄの上方において、ベース１０の垂直板部１２とブラケット２０の垂直板部２２との間にはスペーサ８が介装されている。スペーサ８は、支柱Ｐの前後方向の傾きを矯正した際に、垂直板部１２，２２間に生じた隙間を埋めるためのものである。スペーサ８の下部には切欠８ａが２つ形成されている。これら２つの切欠８ａを上側の左右のボルト３２に挿通させることにより、スペーサ８はボルト３２に保持されている。
【００３２】
上記ブラケット２０のベース１０に対する固定状態において、ブラケット２０のサポート部２４はベース１０の水平板部１３の上方に配置されている。サポート部２４の左右の割り筒部２４ｄは、ベース１０の水平板部１３のボルト挿通孔１３ａの真上に位置している。
【００３３】
次に、支柱の高さ調節と支柱の左右方向の傾き矯正を行う矯正手段４０について説明する。図２〜図４に示すように、矯正手段４０は、支柱Ｐの近傍において支柱Ｐと前後方向に対峙する第１高さ調節手段４１と、支柱Ｐから等距離離れて左右に配置された第２高さ調節手段４２とを有している。
【００３４】
第１高さ調整手段４１は、割り筒部２４ｃを貫通する調節ボルト４１ｂと、割り筒部２４ｃの上下において調整ボルト４１ｂに螺合される２つのナット４１ｎ，４１ｒを有している。これら２つのナット４１ｎ，４１ｒにより、調節ボルト４１ｂは、割り筒部２４ｃに対して上下方向に位置調節可能に割り筒部２４ｃに固定されている。調節ボルト４１ｂの下端は、ベース１０の水平板部１３の上面に当接しており、上側当接部として提供される。
【００３５】
第２高さ調節手段４２は、割り筒部２４ｄと水平板部１３のボルト挿通孔１３ａとを貫通する支持ボルト４２ｂと、割り筒部２４ｄの下において支持ボルト４２ｂに螺合される固定ナット４２ｎと、ベース１０の水平板部１３の下において支持ボルト４２ｂに螺合される調節ナット４２ｒを有している。固定ナット４２ｎにより、支持ボルト４２ｂは割り筒部４２ｄに固定される。本実施の形態では、調節ナット４２ｒと水平板部１３との間にワッシャ４２ｗを介在されており、このワッシャ４２ｗが、水平板部１３の下面に当接する下側当接部として提供される。ワッシャ４２ｗを介在させない場合には、調節ナット４２ｒが下側当接部として提供される。
【００３６】
次に、バルコニーの手摺Ｈの支柱Ｐを建物の躯体Ｆに取り付ける手順について説明する。まず、ベース１０の前後方向の位置を決めて、ボルト５をインサートＩにねじ込むことにより、ベース１０を躯体Ｆに固定する。
次に、支柱Ｐに固定されたブラケット２０の垂直板部２２を、ボルト３１、３２とナット３３，３４により、左右方向、上下方向に位置調節可能な状態で、ベース１０の垂直板部１２に仮止めする。
【００３７】
次に、第１高さ調節手段４１を用いて、支柱Ｐの高さを決定する。調節ボルト４１ｂの下端を水平板部１３に当接させ、調節ボルト４１ｂに螺合された下側のナット４１ｒを割り筒部２４ｃの下面に当接させ、上側のナット４１ｎを割り筒部２４ｃから離間させた状態で、調節ボルト４１を回すことにより、割り筒部２４ｃのベース１０の水平板部１３に対する高さを調節し、ひいては支柱Ｐの高さを調節する。この際、下側のナット４１ｎの回り止めをするのが好ましい。上記高さ調節後に上側のナット４１ｎを締め付けることにより、支持ボルト４１ｂを割り筒部２４ｃに固定する。
この時、ブラケット２０および支柱Ｐは、調節ボルト４１ｂの下端を支点として、ベース１０にぶら下がった状態になっている。
【００３８】
次に、左右の第２高さ調節手段４２により、左右の割り筒部２４ｄの水平板部１３に対する高さを調節し、これによりブラケット２０を介して支柱Ｐの左右の傾きを矯正する。詳述すると、上側のナット４２ｎを割り筒部２４ｄの下面に締め付けて、支持ボルト４２ｂを割り筒部２４ｄに固定した状態で、調節ナット４２ｒを回すことにより、割り筒部２４ｄの高さを調節する。このようにして、支柱Ｐの左右の傾きを無くすことができる。なお、水平板部１３のボルト挿通孔１３ａの内径が、支持ボルト４２ｂの外径よりひと回り大きく形成されているから、ブラケット２０および支柱Ｐの左右の傾き調節を許容できる。
【００３９】
次に、支柱Ｐの前後方向の傾きを矯正する（図３）。すなわち、ベース１０の凸曲面部１２ｄとブラケット２０の平坦面部２２ｄの線接触部を支点として、ブラケット２０および支柱Ｐの前後方向の傾きを調節し、支柱Ｐの前後方向の傾斜をなくす。調節後に、ベース１０とブラケット２０の間に生じた隙間にスペーサ８を介装する。スペーサ８は、隙間の寸法に応じて厚みまたは枚数を調節する。
【００４０】
上述したように、支柱Ｐの前後方向の傾き矯正が終了した後に、全てのボルト３１，３２とナット３３，３４を締め込んでブラケット２０をベース１０に固定する。
【００４１】
この実施の形態における支柱Ｐの支持構造Ａにおいては、躯体Ｆの三次元方向（上下方向、左右方向及び前後方向）の誤差を吸収しつつ、支柱Ｐの傾きの矯正を行うことができる。
【００４２】
なお、この発明は、上記実施の形態に限定されるものではなく、その要旨を逸脱しない範囲において各種の変形例を採用することができる。
上記実施の形態では、上側当接部を有する第１高さ調節手段を支柱に対して前後方向に対峙して１つ配置し、下側当接部を有する第２高さ調節手段を支柱から左右方向に同距離離れて２つ配置したが、第２高さ調節手段を支柱に対して前後方向に対峙して１つ配置し、第１高さ調節手段を支柱から左右方向に同距離離れて２つ配置してもよい。
上記実施の形態では、支柱から離れた高さ調節手段を左右に２つ配置したが、１つでもよい。
支柱近傍の高さ調節手段を２つ配置してもよい、
【００４３】
上記実施の形態では、ベースの垂直板部が凸曲面部を有し、ブラケットの垂直板部が平坦面部を有しているが、これとは逆に、ブラケットの垂直板部が凸曲面部を有し、ベースの垂直板部が平坦面部を有してもよい。また、凸曲面部は垂直板部と別体に形成してもよい。
【００４４】
上記実施の形態では、凸曲面部の上方にスペーサが配置しているが、凸曲面部の下方に配置してもよい。
上記実施の形態では、ブラケット側サポート部を互いに離れた割り筒部等で形成したが、水平板部で構成してもよい。
上記実施の形態では、バルコニー用の手摺の支柱を支持する場合について説明したが、ベランダに設けられる手摺の支柱を支持する場合にも適用できる。
【産業上の利用可能性】
【００４５】
本発明は、ベランダ又はバルコニーの手摺の支柱等、建物の躯体に支持される支柱に適用することができる。
【符号の説明】
【００４６】
Ａ    手摺支柱の支持構造
Ｈ    手摺
Ｐ    支柱
Ｆ    躯体
８    スペーサ
８ａ  切欠
１０  ベース
１２  垂直板部（ベース側垂直板部）
１３  水平板部（ベース側サポート部）
１２ｄ  凸曲面部
２０  ブラケット
２２  垂直板部（ブラケット側垂直板部）
２２ｄ  平坦面部
２４  サポート部（ブラケット側サポート部）
３０  固定手段
３１  第１ボルト
３２  第２ボルト
３３  第１ナット
３４  第２ナット
４０  矯正手段
４１  第１高さ調節手段
４１ｂ  調節ボルト
４１ｎ、４１ｒ  ナット
４２  第２高さ調節手段
４２ｂ  支持ボルト
４２ｎ  ナット
４２ｒ  調節ナット
４２ｗ  ワッシャ（下側当接部）
【図１】
2017082444.tif 000003
【図２】
2017082444.tif 000004
【図３】
2017082444.tif 000005
【図４】
2017082444.tif 000006
【図５】
2017082444.tif 000007